(57)【要約】【課題】  ユーザが希望する再生位置へジャンプする操作を簡単かつ迅速に行えるようにする。【解決手段】  時間情報読み取り部２６によって記憶再生媒体に記憶された映像の再生総時間を検出する。再生総時間を時間情報分割処理部２７によって１０分割する。チャンネルを選局するリモコン装置３０の番号キー（テンキー）を分割した１〜１０の分割時間領域に順番に割り当てる。これにより、例えば再生総時間が１２０分であれば、１２分間隔後毎にジャンプし、「５」の番号キーを押せば、６０分経過した位置に簡単にタイムジャンプする。【選択図】        図１
2005303871.tif 000002
【特許請求の範囲】
【請求項１】
映像音声情報を記録再生媒体に記録又は再生する映像記憶再生装置において、前記記録再生媒体に記憶された映像情報の再生総時間を読み取る時間情報読み取り手段と、この時間情報読み取り手段で得られた再生総時間を１０等分の分割時間領域に分割する時間分割処理手段と、前記１〜１０の分割時間領域に対応するように割り当てた複数のキー入力手段とを備え、前記キー入力手段により、そのキーに割り当てられた分割時間領域から再生するように構成したことを特徴とする映像記憶再生装置。
【請求項２】
前記キー入力手段が少なくとも１〜１０の番号を備えた番号キーを備え、この番号キーの１〜１０の数字が前記１〜１０の分割時間領域に順次、対応付けられていることを特徴とする請求項１記載の映像記憶再生装置。
【請求項３】
前記番号キーは、前記分割時間領域から再生を開始する機能とチャンネルを選択する選局機能とを有することを特徴とする請求項１又は２記載の映像記憶再生装置。
【請求項４】
前記番号キーは所定時間、押圧操作した際に、そのキーに対応する分割時間領域からの再生を開始するように構成したことを特徴とする請求項３記載の映像記憶再生装置。
【請求項５】
前記分割時間領域毎のタイムバー表示と、このタイムバー表示に対して現在の再生位置をオンスクリーン表示させる表示キーを備えたことを特徴とする請求項１記載の映像記憶再生装置。
【発明の詳細な説明】
【技術分野】
【０００１】
本発明は、ＤＶＤやハードディスク等の記録再生媒体に記録又は再生する映像記憶再生装置、特にユーザが指定した分割時間領域にジャンプして映像を再生する映像記憶再生装置に関する。
【背景技術】
【０００２】
従来、ユーザが再生を希望する目的の部分を探す手段としては、種々の方法が提案され、例えば、特許文献１にはステップ送り操作手段の操作に応じて、音声情報の読出位置を、再生音声にして所定時間分（例えば３０秒）だけ前方（ＦＦ（早送り）方向）又は後方（ＲＥＷ（早戻し）方向）となる位置にアクセス移動させ、アクセス移動終了後に再生動作を再開させるように制御を行なう再生装置が提案され、特許文献２には、ブックマーク機能を用いて視聴中に気に入った場面をユーザがチェックしておき、その場面を見たくなった場合にブックマークを選択することにより、ブックマークが付されている場面から録画されている映像をスロー再生のリピートを行う記録再生装置が提案されている。
【０００３】
【特許文献１】特開平９−１４７５３４号公報
【特許文献２】特開２００２−１５２６３５号公報
【発明の開示】
【発明が解決しようとする課題】
【０００４】
前記特許文献１の再生装置は再生している位置から例えば３０秒などの一定間隔だけ、再生位置の送り又は戻しが実行されるものであるから、例えば、予め記憶された映像を再生し、その再生開始から、時間的に離れた位置にジャンプしたい場合、送り又は戻しキーを何回も操作する、あるいは、キーを押し続けるといった面倒な操作が必要である。また、特許文献２においては、任意の位置にジャンプするためには、ユーザが再生中にブックマークを付す必要があるため、煩わしい面がある。また、一般に、市販の映画などの映像を記憶したＤＶＤにおいては、予め「チャプタ」と称されるものが存在する。通常、ＤＶＤの映画タイトルはいくつかのチャプタから構成されており、チャプタメニューには、これらチャプタに直接ジャンプして再生するためのボタンが表示される。ユーザは、このボタンを使用することにより、指定したチャプタの先頭から再生することが可能となるが、このようなチャプタ機能を備えたものであっても、チャプタは特徴的なシーンなどに付与され、時間的に均等に付されているものではないから、例えば、再生時間が１２０分の映像タイトルのＤＶＤなどにおいて、半分、すなわち、６０分前後から再生した場合などにおいて、時間を基準として送りあるいは戻り再生するには不便である。また、近年、リモコン装置を操作して直接、再生開始時間を指定してタイムジャンプする機能を備えた機種も知られている。このような、タイムジャンプ機能は、例えば１２０分前後の映画タイトルにおいて、映像開始から３０分経過したシーンに直接、タイムジャンプすることが可能であるが、再生開始時間を指定するには、リモコン装置のキーを操作して「０．３．０．０」などと時間を指定するための数値を打ち込む必要があるため、面倒な操作が必要となり、操作性に劣る、といった課題を有している。
【０００５】
本発明は、上記課題に鑑みてなされたもので、簡単な操作で素早いタイムジャンプを可能とする映像記憶再生装置を提供することを目的とする。
【課題を解決するための手段】
【０００６】
本発明の請求項１の映像記憶再生装置は、映像音声情報を記録再生媒体に記録又は再生する映像記憶再生装置において、前記記録再生媒体に記憶された映像情報の再生総時間を読み取る時間情報読み取り手段と、この時間情報読み取り手段で得られた再生総時間を１０等分の分割時間領域に分割する時間分割処理手段と、前記１〜１０の分割時間領域に対応するように割り当てた複数のキー入力手段とを備え、前記キー入力手段により、そのキーに割り当てられた分割時間領域から再生するように構成したことを特徴とする。
【０００７】
請求項１の構成により、時間情報読み取り手段によって記録再生媒体に記憶されたデータの再生総時間を検出するとともに、その再生総時間を時間領域分割処理手段によって１０等分に分割する。そして、ユーザがキー入力手段の番号キーを操作すると、ユーザの要求したキー操作にしたがって、その番号キーに割り当てられた分割時間領域から再生を開始する。例えば、１２０分の映画タイトルが記憶された記録再生媒体では時間領域分割処理手段によって１２分の分割時間領域に分割され、その分割時間領域に割り当てたキー操作によって、キーに対応する分割時間領域にジャンプして再生が開始される。
【０００８】
本発明の請求項２の映像記憶再生装置は、請求項１記載の映像記憶再生装置において、前記キー入力手段が少なくとも１〜１０の番号を備えた番号キーを備え、この番号キーの１〜１０の数字が前記１〜１０の分割時間領域に順次、対応付けられていることを特徴とする。
【０００９】
請求項２の構成により、番号キーの数字に対応してジャンプ先時間を計算する。ジャンプ先時間は、（再生総時間／１０）×「番号キーの数字」によって得られる。例えば、再生総時間が１２０分で「５」の番号キーを押した場合、１２×５＝６０となり、タイトル開始から６０分経過した先にタイムジャンプする。
【００１０】
本発明の請求項３の映像記憶再生装置は、請求項１又は２記載の映像記憶再生装置において、前記番号キーは、前記分割時間領域から再生を開始する機能とチャンネルを選択する選局機能とを有することを特徴とする。
【００１１】
請求項３の構成により、再生時以外、番号キーを操作すると、その番号キーに対応するチャンネルに切り換えられ、再生時には、番号キーに対応する分割時間領域からの映像再生が開始される。
【００１２】
本発明の請求項４記載の映像記憶再生装置は、請求項３記載の映像記憶再生装置において、前記番号キーは所定時間、押圧操作した際に、そのキーに対応する分割時間領域からの再生を開始するように構成したことを特徴とする。
【００１３】
請求項４の構成により、番号キーを所定時間、押圧操作し続けることによって、そのキーに対応する分割時間領域から再生開始し、所定時間未満であれば再生が継続する。
【００１４】
本発明の請求項５記載の映像記憶再生装置は、請求項１記載の映像記憶再生装置において、前記分割時間領域毎のタイムバー表示と、このタイムバー表示に対して現在の再生位置をオンスクリーン表示させる表示キーを備えたことを特徴とする。
【００１５】
請求項５の構成により、再生時に表示キーを操作すると、表示画面上に分割時間領域毎のタイムバー表示に対する現在の再生位置がオンスクリーン表示される。
【発明の効果】
【００１６】
本発明の請求項１の映像記憶再生装置によれば、映像音声情報を記録再生媒体に記録又は再生する映像記憶再生装置において、前記記録再生媒体に記憶された映像情報の再生総時間を読み取る時間情報読み取り手段と、この時間情報読み取り手段で得られた再生総時間を１０等分の分割時間領域に分割する時間分割処理手段と、前記１〜１０の分割時間領域に対応するように割り当てた複数のキー入力手段とを備え、前記キー入力手段により、そのキーに割り当てられた分割時間領域から再生するように構成したものであるから、記録再生媒体の再生時においてキー入力手段を操作すればタイトル開始から分割時間領域毎にワンタッチでタイムジャンプすることが可能となり、例えば、３番目の分割時間領域から再生しようとする場合、その分割時間領域に割り当てた番号キーを操作するだけでよい。また、再生総時間を１０分割することによって、ユーザは何分毎に映像がタイプジャンプするのかを簡単に計算でき、分割時間を基準としてタイムジャンプする際、どの位置にジャンプするのかが把握しやすいため、ユーザが所望する再生時間からの再生を容易に行うことができ、使い勝手のよいものとなる。
【００１７】
本発明の請求項２の映像記憶再生装置によれば、請求項１記載の映像記憶再生装置において、前記キー入力手段が少なくとも１〜１０の番号を備えた番号キーを備え、この番号キーの１〜１０の数字が前記１〜１０の分割時間領域に順次、対応付けられているものであるから、５番の番号キーを操作すれば５番目の分割時間領域の再生が開始され、希望する分割時間領域へと簡単かつ迅速にタイムジャンプすることが可能となる。
【００１８】
本発明の請求項３の映像記憶再生装置によれば、請求項１又は２記載の映像記憶再生装置において、前記番号キーは、前記分割時間領域から再生を開始する機能とチャンネルを選択する選局機能とを有するものであるから、リモコン装置などのキー入力手段をコンパクトに小型化できるとともに、無駄にキーを増やす必要が無いため合理的であるとともに、キー入力手段の製造コストも低減することができる。
【００１９】
本発明の請求項４記載の映像記憶再生装置によれば、請求項３記載の映像記憶再生装置において、前記番号キーは所定時間、押圧操作した際に、そのキーに対応する分割時間領域からの再生を開始するように構成したものであるから、所定時間、押し続けなければ分割時間領域にジャンプしないから、誤操作を防止することができる。
【００２０】
本発明の請求項５記載の映像記憶再生装置によれば、請求項１記載の映像記憶再生装置において、前記分割時間領域毎のタイムバー表示と、このタイムバー表示に対して現在の再生位置をオンスクリーン表示させる表示キーを備えたものであるから、再生時間に対する分割時間領域の経過が簡単に判別でき、現在の再生シーンから何分後あるいは何分前のシーンにジャンプしたい場合、タイムバー表示に照らして容易に判断することができる。
【発明を実施するための最良の形態】
【００２１】
以下、添付図面を参酌しながら、本発明を実施するための最良の形態としての実施例を説明する。
【００２２】
図１は本発明の実施形態である映像記憶再生装置１のブロック図であり、映像記憶再生装置１は、装置全体の動作を制御するためのメインマイコン２と、ＭＰＥＧエンコーダ３、ＭＰＥＧデコーダ４及びビデオエンコーダ５、ビデオデコーダ６を制御するＤＶＤマイコン７を有している。また、映像記憶再生装置１には、受信アンテナで受信される複数の放送信号より希望のチャネルの放送信号を選択し、その放送信号に対応するビデオ信号を得るチューナ７と、このチューナ７より出力されるビデオ信号又はＭＰＥＧデコーダ６より出力されるビデオ信号による映像を表示するＣＲＴ（Ｃａｔｈｏｄｅ−Ｒａｙ  Ｔｕｂｅ）ディスプレイ、あるいはＬＣＤ（Ｌｉｑｕｉｄ  Ｃｒｙｓｔａｌ  Ｄｉｓｐｌａｙ）等のフラットパネルディスプレイで構成されるモニタ８と、このモニタ８に映像を映し出すための映像処理を行うクロマ９及び音声処理部１０とを有している。また、ＭＰＥＧデコーダ４にはＤＶＤマイコン７の制御に伴って生成されるデータを格納したり、ワーキングエリアとして用いられるＲＡＭ（Ｒａｎｄｏｍ  Ａｃｃｅｓｓ  Ｍｅｍｏｒｙ）１１及び記憶再生媒体としてディスク１２に記憶されたデータを読み取りあるいは記憶するためのピックアップ１３が接続されている。
【００２３】
ビデオエンコーダ５は、記録時にチューナ７より出力されるビデオ信号に対してＡ／Ｄ変換処理をしてデジタルの記録、ビデオデータを得ると共に、この記録ビデオデータに対してＭＰＥＧエンコーダ３でデジタル信号を圧縮処理して記録用のＭＰＥＧストリームを生成する。ＭＰＥＧデコーダ４は、再生時に、ディスクに記憶されたＭＰＥＧストリームに対してデータ伸長処理をして再生ビデオデータを生成し、その再生ビデオデータをビデオエンコーダ６に出力してＤ／Ａ変換処理をしてアナログのビデオ信号を得ている。
【００２４】
次に前記メインマイコン２の制御について図２のブロック図を参照して説明する。映像記憶再生装置１は、その操作を後述するリモコン装置３０のキー入力によって行い、その入力信号を判別するキー判別部２０によって判別して動作指示部２１へと出力され、さらに、動作指示部２１からの信号を動作制御部２２へと出力し、ユーザの要求した操作にしたがって制御して画面表示部２３からクロマ９へと信号を出力する。また、メインマイコン２のＲＡＭ２９は、時間情報読み取り部２６、時間領域分割処理部２７、時間分割位置確認部２８の各データが格納され、時間情報読み取り部２６は前記ディスク１２に記憶されているデータの再生総時間を読み取り、図３に示すように、その再生総時間を時間領域分割処理部２７で１〜１０の分割時間領域に分割する。時間分割位置確認部２８は、１０分割されたどの分割時間領域の映像が再生されているかを判別する。なお、図３においてａ〜ｇはディスク１２に付されたチャプタマークである。
【００２５】
前記リモコン装置３０は、図６に示すように、テレビジョン受像機や映像記憶再生装置１を操作するものであり、電源を投入する電源キー３１、チャンネルを選択する１〜１２の番号キー３２、チャンネルをアップダウンで選択したり、表示されたメニューから所定の調整や設定を選択するための上下一対のアップダウンキー３３及び左右のカーソルキー３４、メニュー画面を表示するためのメニューキー３５及び決定キー３６、再生中おいて前記分割時間領域に対応したタイムバーをオンスクリーン表示させる表示キー３７などが設けられている。また、前記１〜１０の番号キー３２は、前記時間領域分割処理部２７によって１０分割された１〜１０の分割時間領域と対応して割り当てられている。
【００２６】
次に、本実施例における時間分割ジャンプの設定について説明する。図４はメニューキー３５を操作したときに表示されるメニュー画面の一例を示すもので、メニューキー３５が操作されると、モニタ８には、時間分割ジャンプの設定として「時間分割ジャンプ」「キー操作」「長押し時間設定」の選択項目が表示される。ここでユーザが上下のアップダウンキー３３と左右のカーソルキー３４を操作し、「時間分割ジャンプ」のオン／オフの選択、時間分割ジャンプ時における単押しか長押しかの「キー操作」の選択、「長押し時間の設定」を何秒にするかを決定する。そして、「キー操作」として単押しを選択した場合、再生中の番号キー３２を操作した時点で、その番号キー３２に対応する分割時間領域の映像へジャンプし、長押しを選択した場合は、「長押し時間の設定」で決定した時間、番号キー３２を押し続けることによってその番号キー３２に対応する分割時間領域の映像へジャンプする。長押し時間は初期値が２秒に設定され、「長押し時間の設定」を行うことで任意の秒数に設定することが可能である。また、表示キー３７を操作することによって、図５に示すように、１０分割されたタイムバー表示に対して現在の再生位置がオンスクリーン表示される。
【００２７】
次に図７のフローチャートを参照して本実施例における時間分割によるタイムジャンプについて説明する。ユーザがメニュー画面で「時間分割ジャンプ」の項目としてＯＮを選択している状態において、映像記憶再生装置１にディスク１２をセットすると、時間情報読み取り部２６によってディスク１２に記憶されたデータの再生総時間を検出するとともに、その再生総時間を時間領域分割処理部２７によって１０等分に分割する。すなわち、１２０分の映画タイトルが記憶されたディスク１２では時間領域分割処理部２７によって１２分の分割時間領域に分割される。そして、ユーザがリモコン装置３０の番号キー３２を操作すると（ステップＳ１）、キー判別部２０によって判別され、ユーザの要求したキー操作にしたがって動作が開始する。この時、ディスク１２が再生中であるか否かを判別し（ステップＳ２）、再生していない状態であれば、番号キー３２に対応するチャンネルに応じた選局を行う（ステップＳ３）。再生中であれば、ユーザがメニュー画面で設定した「キー操作」の選択項目で「単押し」を選択しているか「長押し」を設定しているかを判別し、「長押し」を選択している場合（ステップＳ４）、番号キー３２の操作時間を計測し、ユーザが「長押し時間の設定」の項目で設定した秒数、例えば初期値の２秒であれば番号キー３２を２秒以上、押し続けることによって（ステップＳ５）、その番号キー３２の数字に対応してジャンプ先時間Ｔｊを計算する（ステップＳ６）。番号キー３２の操作が２秒以下であれば、タイトルの再生を継続する（ステップＳ７）。ジャンプ先時間Ｔｊは、ディスク１２のタイトルの再生総時間Ｔａとすると、（Ｔａ／１０）×「番号キー３２の数字」によって得られる。例えば、再生総時間Ｔａが１２０分で「５」の番号キー３２を押した場合、１２×５＝６０となり、タイトル開始から６０分経過した先にタイムジャンプする（ステップＳ８）。なお、ユーザが「単押し」を選択している場合、番号キー３２の操作と同時にステップＳ６、Ｓ８へと移行しタイムジャンプする。
【００２８】
以上のように、本実施例においては、ディスク１２に記憶された映像の再生総時間を１０分割し、その分割した１〜１０の分割時間領域に対してリモコン装置３０の番号キー３２の１〜１０の番号に割り当てることにより、ディスク１２の再生時においてリモコン装置３０の番号キー３２を例えば１、２、３と順次、操作すればタイトル開始から１２分毎にタイムジャンプすることが可能となり、例えば、「３」の番号キー３２を操作すれば、３６分、「５」の番号キー３２を操作すれば、６０分経過した位置に簡単にタイムジャンプすることができる。したがって、番号キー３２を操作するだけで、所望するおよその再生時間からの再生することができる。また、再生総時間を１０分割することによって、ユーザは何分毎にタイプジャンプするのかも簡単に計算でき、分割時間を基準としてタイムジャンプする際、「３」の番号キー３２を操作すれば、総再生時間のおよそ１／３に位置、「６」の番号キー３２を操作すればおよそ２／３の位置にタイムジャンプすることができるから、どの位置にジャンプするのかが把握しやすい。このように、番号キー３２を操作してジャンプしたいおよそ位置へジャンプした後、早送り又は巻き戻しキーを併用すれば、ユーザが観たいシーンへと簡単かつ迅速にアクセスすることが可能となり、ユーザが所望する再生時間からの再生を容易に行うことができ、使い勝手のよいものとなる。また、表示キー３７を操作すれば、１０分割されたタイムバー表示に対して現在の再生位置を表示することができるから、再生時において、再生時間に経過が簡単に判別でき、現在の再生シーンから何分後あるいは何分前のシーンにジャンプしたい場合、タイムバー表示に照らして容易に判断することができる。また、タイムジャンプするのに用いる１〜１０の番号キー３２は、チャンネルを選局する番号キー３２として兼用することから、リモコン装置３０をコンパクトに小型化できるとともに、無駄にキーが増やす必要が無いため合理的であるとともに、リモコン装置３０の製造コストも低減することができる。
【００２９】
以上、本発明の実施例について詳述したが本発明は、前記実施例に限定されるものではなく、本発明の要旨の範囲内で種々の変形実施が可能である。例えば、リモコン装置のキー配列やキーの機能などは適宜選定すればよい。また、前記実施例では、チャンネルを選局する１〜１２の番号キーをタイムジャンプするキーとして兼用した例を示した、タイムジャンプ専用のテンキーを別途、設けてもよい。また、再生途中から再生開始位置、すなわち、図３において「０」の位置へと戻り操作する場合は、別途、リモコン装置に頭出しキーを設ける構成であってもよい。
【図面の簡単な説明】
【００３０】
【図１】本発明の一実施例を示す映像記憶再生装置のブロック図である。
【図２】同上、メインマイコン内部のブロック図である。
【図３】同上、再生総時間を分割した状態を示す説明図である。
【図４】同上、時間分割ジャンプ設定画面を示す説明図である。
【図５】同上、１０分割されたタイムバー表示に対する再生位置を示す参考図である。
【図６】同上、リモコン装置の正面図である。
【図７】同上、タイムジャンプの手順を示すフローチャートである。
【符号の説明】
【００３１】
１  映像記憶再生装置
１２  ディスク（記憶再生媒体）
２６  時間情報読み取り部（時間情報読み取り手段）
２７  時間情報分割処理部（時間情報分割処理手段）
３０  リモコン装置（キー入力手段）
３２  番号キー
３７  表示キー
【図１】
2005303871.tif 000003
【図２】
2005303871.tif 000004
【図３】
2005303871.tif 000005
【図４】
2005303871.tif 000006
【図５】
2005303871.tif 000007
【図６】
2005303871.tif 000008
【図７】
2005303871.tif 000009